(57)【要約】【課題】薪ストーブについて、その美観を損なうことなく低コストで確実に転倒を防止するとともに、火災の発生を確実に防止できるようにする。【解決手段】薪ストーブ１００を載せて地震の動きを吸収する平板状の免震炉台２Ａと、薪ストーブ１００側から上向きに延設した煙突構成部材４０とこれに上方から接続する煙突構成部材５０の間に介装されこれらを連結する管体自在継手４Ａと、を備えたストーブ免震システム１Ａであって、その免震炉台２Ａは、上面が平滑な平板状の基台２０と上面側に薪ストーブ１００を載せるとともに下面側が所定レベル以上の横揺れにより基台２０上で水平方向に滑り動く摺接面となる滑動板２２を有し、基台２０上面外縁側には滑動板２２が基台２０上面からはみ出すのを阻止する囲み状の枠体２５が設けられて、地震の際に滑動板２２が枠体２５で囲まれた範囲内で水平方向に滑動して横揺れを吸収するものとした。【選択図】図１
2014224613.tif 000002
【特許請求の範囲】
【請求項１】
上面に薪ストーブを載せて地震による水平方向の動きを吸収する免震手段を備えた平板状の免震炉台と、前記薪ストーブ側から上向きに延設した煙突構成部材と該煙突構成部材に上方から接続する煙突構成部材の間に介装されて前記両煙突構成部材を連結する煙突連結手段と、を備えたストーブ免震システムにおいて、前記免震炉台は、上面が平滑な平板状の基台と、上面側に前記薪ストーブの脚を載せるとともにその下面側が所定レベル以上の横揺れにより前記基台上で水平方向に滑り動く摺接面となる滑動板を有しており、前記基台の上面外縁側には前記滑動板が前記基台上面からはみ出すのを阻止する囲み状の枠体が設けられて、地震の際に前記滑動板が前記枠体で囲まれた範囲内で水平方向に滑動しながら前記横揺れを吸収する、ことを特徴とするストーブ免震システム。
【請求項２】
前記枠体は、その底面側を弾性又は粘弾性を有した緩衝部材を介して前記基台上面に固定されており、前記滑動板の外周側が前記枠体に衝突した際の衝撃を緩衝する、ことを特徴とする請求項１に記載したストーブ免震システム。
【請求項３】
前記枠体は、複数本の直管角柱状の部材がその長手方向を横向きにして囲い状に組み合わされてなる、ことを特徴とする請求項２に記載したストーブ免震システム。
【請求項４】
前記煙突連結手段は、前記薪ストーブ側から上向きに延設した筒状の前記煙突構成部材と該煙突構成部材に上方から接続する筒状の前記煙突構成部材とを、所定範囲でマルチ方向屈曲自在に連結する球面部を有した自在継手式又は蛇腹式のものからなる、ことを特徴とする請求項１，２または３に記載したストーブ免震システム。
【請求項５】
前記基台上面の外縁側所定位置には、所定レベル以上の揺れで作動して内装したボンベから消火剤を噴射する縦長柱状の自動消火手段が立設されており、該自動消火手段の噴射口が変形可能なパイプ部材で前記薪ストーブの燃焼室側に接続されている、ことを特徴とする請求項１，２，３または４に記載したストーブ免震システム。
【請求項６】
前記自動消火手段は、前記ボンベの上方で球状の錘を支持する錘支持台の外周側を上方が開放した漏斗状の囲い部材で囲っているとともに、所定レベルの揺れにより前記錘支持台から脱落した前記錘が、前記囲い部材内周面で受け止められつつ下方に案内されて前記ボンベの噴射起動手段の上に落下し、該落下の衝撃で消火剤の噴射が開始されて前記錘の自重により所定時間噴射状態を維持する、ことを特徴とする請求項５に記載したストーブ免震システム。
【請求項７】
前記自動消火手段は、前記パイプ部材の先端側で前記燃焼室内に接続している接続部材の消火剤供給通路開口部が、その上流側の内径よりも小径に絞られてなるジェット式の噴射口とされている、ことを特徴とする請求項５または６に記載したストーブ免震システム。
【請求項８】
前記接続部材は、その噴射口の中心軸線が水平になるように固定されているとともに、前記噴射口前方の前記中心軸線上で噴射した消火剤を前方斜め下向きに反射させながら拡散させる斜め下向きの衝突面を有した反射板が延設されている、ことを特徴とする請求項７に記載したストーブ免震システム。
【請求項９】
上面が平滑な平板状の前記基台と、上面側に前記薪ストーブの脚を載せるとともに下面側が所定レベル以上の横揺れにより前記基台上で水平方向に滑動する摺動面となる前記滑動板を有しており、前記基台の上面外縁側には前記滑動板が前記基台上面からはみ出すのを阻止する囲み状の枠体が設けられて、地震の際に前記滑動板が前記枠体で囲まれた範囲内で水平方向に滑動しながら前記横揺れを吸収する、ことを特徴とする請求項１，２，３，４，５，６，７または８に記載したストーブ免震システムの免震炉台。
【発明の詳細な説明】
【技術分野】
【０００１】
本発明は、ストーブ免震システム及びその免震炉台に関し、殊に、煙突が上方から接続した状態で屋内に配置される薪ストーブのためのストーブ免震システム及びこれに用いる免震炉台に関する。
【背景技術】
【０００２】
先の東日本大震災以来、屋内に配置する機器の転倒による破損や事故を防止することについて関心が高まっており、殊に、転倒により火災を引き起こしやすいストーブ等の燃焼機器に関しては、早急に転倒防止・火災防止のための対策を講じることが求められている。
【０００３】
例えば、高価な美術品やサーバー等の精密機器については、上下の部材の間に鋼球を挟み込んだ免震台を使用して、水平方向の揺れを吸収しながらその転倒や破損を防止することが一般に行われている。また、燃焼機器のうち石油ストーブやガスストーブにおいては、所定レベル以上の揺れで機械的に瞬時に消火する自動消火装置が設けられているのが通常であり、転倒を防止する免震手段がなくても地震による火災は回避しやすいものとなっている。
【０００４】
一方、燃焼機器のうち、室内設置式の薪ストーブや石炭ストーブについては、その内部で燃料が炭状になって燃焼するため、これを短時間で機械的に消火することは困難であり、地震で転倒した場合には燃焼炭が燃焼室の外に散乱して火災を引き起こす心配がある。この場合、特開２００９−１４４９４５号公報に記載されたもののように、地震の揺れにより給水タンク内の水を燃焼室内に放水する自動消火手段を薪ストーブに内装することも考えられる。
【０００５】
ところが、この方式では、既存の薪ストーブに給水タンクを有した自動消火手段を新たに内装することは困難であり、また自動消火装置を外付けする場合には、インテリアとしての美観が重視される薪ストーブにおいて、その外観を損なってしまうことが懸念される。そこで、薪ストーブを上述した免震台に載せて転倒を回避することも考えられるが、大型の免震台は高価であることに加え、ある程度の厚さを有していることで薪ストーブが持ち上がった状態となるため、前述と同様にその美観を損ないやすいものとなる。
【０００６】
一方、同一高さの凸曲面突起を複数配置した平板状の基台と平滑で硬質の平板による滑動板との点接触による低摩擦の組み合わせからなる平板状の免震台が、実登第３１６２８４０号公報に提案されており、この免震台を薪ストーブに用いることにより比較的低コストでその転倒事故を防止することが期待される。
【０００７】
しかしながら、この平板状の免震台で薪ストーブの転倒を防止するには、地震時に想定されるスライド幅を上回る広さのものが必要となり、室内で過剰に広い面積を占めながら薪ストーブの美観をも損ねる結果となってしまう。また、室内設置式の薪ストーブには上方から煙突が接続されているのが通常であるが、薪ストーブのスライド動作を許容した場合には、煙突の変形・破損を招くことになる。さらに、地震時には可燃物が屋内に散乱するものであるが、これが破損した煙突等を介して火災を発生させる原因にもなるため、転倒を回避できた場合であっても、内部の薪を確実に消火しておくべきである。
【先行技術文献】
【特許文献】
【０００８】
【特許文献１】特開２００９−１４４９４５号公報
【特許文献２】実登第３１６２８４０号公報
【発明の概要】
【発明が解決しようとする課題】
【０００９】
本発明は、上記のような問題を解決しようとするものであり、薪ストーブについて、その美観を損なうことなく低コストで確実に転倒を防止するとともに、火災の発生を確実に防止できるようにすることを課題とする。
【課題を解決するための手段】
【００１０】
そこで、本発明は、上面に薪ストーブを載せて地震による水平方向の動きを吸収する免震手段を備えた平板状の免震炉台と、薪ストーブ側から上向きに延設した煙突構成部材とこれに上方から接続する煙突構成部材の間に介装されてこれらを連結する煙突連結手段と、を備えたストーブ免震システムにおいて、その免震炉台は、上面が平滑な平板状の基台と、上面側に薪ストーブの脚を載せるとともにその下面側が所定レベル以上の横揺れにより基台上で水平方向に滑り動く摺接面となる滑動板を有しており、基台の上面外縁側には滑動板が基台上面からはみ出すのを阻止する囲み状の枠体が設けられて、地震の際に滑動板が枠体で囲まれた範囲内で水平方向に滑動しながら前記横揺れを吸収する、ことを特徴とするものとした。
【００１１】
このように、基台周縁側に枠体を設けて薪ストーブを載せた滑動板のスライド範囲を規制する方式の免震炉台を備えたものとしたことで、過剰な面積を要することなく低コストで免震炉台を設置することができ、薪ストーブの美観を損ねることなくその転倒を確実に防止できるようになる。
【００１２】
また、このストーブ免震システムにおいて、その枠体を、底面側が弾性又は粘弾性を有した緩衝部材を介して基台上面に固定されており、滑動板の外周側が枠体に衝突した際の衝撃を緩衝することを特徴としたものとすれば、基台を過剰に大きくすることなく滑動板が枠体に衝突した場合でも薪ストーブが転倒するのを回避しやすいものとなり、この場合、その枠体を、複数本の直管角柱状の部材がその長手方向を横向きにして囲い状に組み合わされてなることを特徴としたものとすれば、低コストで枠体を基台上に容易に設けることができることに加え、枠体が複数本の直線状の部分に分割されて衝撃緩衝能に優れたものとなる。
【００１３】
さらに、上述したストーブ免震システムにおいて、その煙突連結手段を、薪ストーブ側から上向きに延設した筒状の煙突構成部材とこれに上方から接続する筒状の煙突構成部材とを、所定範囲でマルチ方向屈曲自在に連結する球面部を有した自在継手式又は蛇腹式のものからなる、ことを特徴としたものとすれば、地震による様々な方向の動きに対応しながら、煙突の変形・破損を回避できるものとなる。
【００１４】
さらにまた、上述したストーブ免震システムにおいて、その基台上面の外縁側所定位置に、所定レベル以上の揺れで作動して内装したボンベから消火剤を噴射する縦長柱状の自動消火手段が立設され、その噴射口が変形可能なパイプ部材で薪ストーブの燃焼室側に接続されていることを特徴としたものとすれば、ボンベを内装して縦長柱状に立設してなる自動消火手段としたことで、薪ストーブの美観を損ねにくいものとしながら、地震の際に燃焼室内を確実に消火可能として、火災発生の畏れを確実に解消できるものとなる。
【００１５】
この場合、その自動消火手段を、ボンベの上方で球状の錘を支持する錘支持台の外周側を上方が開放した漏斗状の囲い部材で囲っているとともに、所定レベルの揺れにより前記錘支持台から脱落した錘が、囲い部材内周面で受け止められつつ下方に案内されてボンベの噴射起動手段の上に落下し、この落下の衝撃で消火剤の噴射が開始されて錘の自重により所定時間噴射状態を維持する、ことを特徴としたものとすれば、電気的な駆動手段を要することなく錘の重さだけで自動消火を行えるものとなり、且つ、美観に優れるとともに趣味性にも富んだものとなる。
【００１６】
加えて、上述した自動消火手段を備えたストーブ免震システムにおいて、その自動消火手段を、パイプ部材の先端側で燃焼室内に接続している接続部材の消火剤供給通路開口部が、その上流側の内径よりも小径に絞られてなるジェット式の噴射口とされたことを特徴としたものとすれば、長いパイプ部材を介した場合でも、消火剤を高圧で噴射することができる。
【００１７】
この場合、その接続部材は、その噴射口の中心軸線が水平になるように固定されているとともに、噴射口前方の前記中心軸線上で噴射した消火剤を前方斜め下向きに反射させながら拡散させる斜め下向きの衝突面を有した反射板が延設されていることを特徴としたものとすれば、ジェットによる直進性が強く燃焼室内の一部に偏りやすい消火剤を、総ての燃焼部分に導きやすいものとなる。
【００１８】
そして、上述したストーブ免震システムに使用される免震炉台であって、上面が平滑な平板状の基台と、上面側に薪ストーブの脚を載せるとともに下面側が所定レベル以上の横揺れにより基台上で水平方向に滑動する摺動面となる滑動板を有しており、その基台の上面外縁側には滑動板が基台上面からはみ出すのを阻止する囲み状の枠体が設けられて、地震の際に滑動板が枠体で囲まれた範囲内で水平方向に滑動しながら前記横揺れを吸収する、ことを特徴としたものとすれば、これを用いるだけで既存の薪ストーブにおいても免震システムを容易に構築できるものとなる。
【発明の効果】
【００１９】
平板状の免震炉台の基台周縁側に枠体を設けて、薪ストーブを載せた滑動板のスライド範囲を規制する方式とした本発明によると、薪ストーブの美観を損なうことなく低コストでも確実に転倒を防止しながら、火災の発生を確実に防止できるものである。
【図面の簡単な説明】
【００２０】
【図１】本発明における実施の形態であるストーブ免震システムの構成を示す側面図である。
【図２】（Ａ）は図１のストーブ免震システムにおける免震炉台の詳細を示す平面図、（Ｂ）は（Ａ）の滑動板を異なる態様にした応用例を示す平面図である。
【図３】（Ａ），（Ｂ），（Ｃ）は図２の免震炉台の作用を説明するための平面図である。
【図４】（Ａ），（Ｂ），（Ｃ）は図１のストーブ免震システムにおける煙突連結手段の構成と作用を説明するための拡大した縦断面図である。
【図５】（Ａ），（Ｂ），（Ｃ）は図４の煙突連結手段の応用例を示す正面図である。
【図６】（Ａ），（Ｂ）は図１のストーブ免震システムにおける自動消火手段の構成と作用を説明するための拡大した縦断面図である。
【図７】（Ａ），（Ｂ）は図６の自動消火手段の応用例の構成と作用を説明するための拡大した縦断面図である。
【図８】（Ａ）は図７の自動消火手段に薪ストーブの横ズレ防止用バーを設けた状態を示す平面図、（Ｂ）は（Ａ）の部分側面図、（Ｃ）は（Ｂ）の状態から横ズレ防止用バーが外れた状態を示す部分側面図である。
【図９】（Ａ）は直進式の噴射口を有した接続部材で噴射した場合の消火剤の挙動を示す縦断面図、（Ｂ）は（Ａ）の接続部材に反射板を設けた場合の消火剤の挙動を示す縦断面図、（Ｃ）は（Ａ）と（Ｂ）の接続部材の２つを組み合わせた場合の消火剤の挙動を示す縦断面図である。
【図１０】（Ａ）は図９（Ａ）の接続部材の詳細を示す部分拡大図、（Ｂ）は（Ａ）の右側面図、（Ｃ）は（Ａ）の接続部材の応用例を示す正面図、（Ｄ）は（Ｃ）の右側面図、（Ｅ）は（Ｄ）の接続部材の変形例を示す正面図、（Ｆ），（Ｇ），（Ｈ）は（Ａ）の接続部材の他の変形例を示す正面図である。
【発明を実施するための形態】
【００２１】
以下に、図面を参照しながら本発明を実施するための形態を説明する。
【００２２】
図１は、本実施の形態であるストーブ免震システム１Ａの構成を示している。このストーブ免震システム１Ａは、室内設置型の薪ストーブ１００に地震の揺れに対する免震機能を付与するためのものであり、薪ストーブ１００を載せる免震炉台２Ａ、免震炉台２Ａ上に配設した自動消火手段としての自動消火装置３Ａ、薪ストーブ１００から上方に延設された煙突構成部材４０と屋根側から下方に垂設された煙突構成部材５０との間に介装されてこれらを連結する煙突連結手段としての管体用自在継手４Ａを備えている点を特徴としている。
【００２３】
図２（Ａ）は、ストーブ免震システム１Ａの主要部を構成している免震炉台２Ａの拡大した平面図を示している。この免震炉台２Ａは、ステンレス鋼板等の金属薄板製で上面が平滑な平板状に形成されてなる基台２０と、上面側に脚を固定しながら薪ストーブ１００を載せ下面側が所定レベル以上の横揺れにより基台２０上で水平方向に滑り動く低摩擦の摺接面となる平板状の滑動板２２を有している。
【００２４】
基台２０は、平面視で四隅を面取りした略長方形とされ、その上面外縁側で角部を除く４辺に沿って直管角柱状のパイプ部材２５ａ，２５ｂ，２５ｃ、２５ｄが配置されており、これらで薪ストーブ１００を載せた滑動板２２が地震の揺れで基台２０上面からはみ出すのを阻止するための囲み状の枠体２５を構成している。
【００２５】
一方、滑動板２２は、薄い鋼板を平面視で基台２０よりも小さい略相似形に形成したものであって、その角部を除く４辺を構成している部分が所定幅で上向き垂直方向に折り返された返し２２０ａ，２２０ｂ，２２０ｃ，２２０ｄとされており、これらで周壁２２０を構成している。この滑動板２２を基台２０の上面中央に配置することで、前記枠体２５の内周面と周壁２２０外周面との間に所定の間隔が形成され、枠体２５で囲まれた範囲内で滑動板２２が前記間隔分だけ水平方向に摺動自在とされている。
【００２６】
また、滑動板２２の上面には、その四隅側に薪ストーブ１００の脚を載せた状態で固定するための脚固定部２２１ａ，２２１ｂ，２２１ｃ，２２１ｄが配設されており、固定ネジ等の固定手段で薪ストーブ１００を滑動板２２上に固定するようになっており、薪ストーブ１００の接地面積を広げるとともに低重心化を実現して転倒しにくいものとしている。
【００２７】
さらに、滑動板２２の下面には、基台２０の平滑な上面に載った状態で低摩擦状態を実現するための所定の滑り手段が設けられており、地震の際に、薪ストーブ１００を載せた状態で水平方向に容易に滑動しながら横揺れを吸収して、薪ストーブ１００の転倒事故の発生を一層回避しやすいものとしている。
【００２８】
その滑り手段としては、滑動板２２を構成する薄板鋼板製の板材底面に対し、基盤２０上面との間の摩擦による固定力を低下させる低摩擦樹脂シートを貼設したり、フッ素樹脂やシリコン樹脂等による滑り加工（塗装）を施したり、或いは、上述した特許文献２のように凸曲面突起を複数配置して硬質且つ平滑な基台２０上面との間で滑動容易な状態にすることが想定される。尚、図２（Ｂ）に示すように、前述した滑動板２２を、薪ストーブ１００の脚先端を周壁内に各々載せるとともに下面側に滑り手段を有し上面側に脚固定部を有した４つの短靴状の小滑動板２３０ａ，２３０ｂ，２３０ｃ，２３０ｄからなる滑動板２３とした免震炉台２Ｂとしても同様である。
【００２９】
一方、基台２０上面周縁側の後方角部で滑動板２２の滑動を阻害しない位置には、小型粉末消火器３１を内装した縦長柱状の自動消火手段である自動消火装置３Ａが立設されており、その消火剤の噴射口がゴムパイプ３３ａを介して薪ストーブ１００の燃焼室側に所定量の遊びを有して接続されており、滑動板２２の自由な滑動を阻害しない状態にて薪ストーブ１００に消火剤を供給可能としている。尚、ゴムパイプ３３ａの代わりに他の素材によるフレキシブルな管体を使用しても良いことは言うまでもない。また、自動消火装置３Ａは、基台２０の外側の床面に立設してもよく、図１の場合はゴムパイプ３３ａを延長しながら壁際等の薪ストーブ１００から離れた位置に配置することもできる。
【００３０】
図３を用いて免震炉台２Ａの作用を説明すると、一点鎖線で示す薪ストーブ１００の脚を固定して載せた滑動板２２は、図（Ａ）に示すように基台２０上面のほぼ中央位置に配置され、通常の使用では滑動板２２が殆ど滑動しない固定力を有している。そして、所定レベル（例えば震度４）以上の地震が発生した場合に、図（Ｂ），（Ｃ）に示すように横揺れがあっても薪ストーブ１００を載せた滑動板２２は慣性の法則でその位置にとどまりながら、基台２０の上面を滑動する（正確には基盤２０が地面とともに横移動する）。
【００３１】
枠体２５の内周面と周壁２２０外周面との間隔を超える幅の横揺れが生じた場合には、図３（Ｂ），（Ｃ）に示したように、枠体２５内周面と周壁２２０外周面とが衝突して滑動板２２が基台２０からはみ出すのを阻止するように機能する。その衝突の際、枠体２５を構成するパイプ部材２５ａ，２５ｂ，２５ｃ、２５ｄは、その底面側を基台２０上面に対し所定の厚さを有した図示しない緩衝部材を介して固定されているため、衝突による衝撃が吸収・緩衝されて薪ストーブ１００の転倒を回避しやすいものとしている。
【００３２】
このように、緩衝部材を介し基台２０上面に枠体２５を固定したことにより、枠体２５内周面と周壁２２０外周面との間隔を、想定される地震の横揺れ幅以上に確保する必要がなくなることから、基台２０を過剰に大きくしなくても済むため、薪ストーブ全体の美観の悪化を招きにくいものとなる。尚、その緩衝部材としては、エラストマー樹脂等のゲル状樹脂製で粘着性及び粘弾性を備えた市販の衝撃吸収パッドが好適であり、これを介装するだけでその粘着性により枠体２５が基台２０側に固定され、清掃等の必要時にはこれを引き剥がすことも容易である。
【００３３】
図４は、図１のストーブ免震システム１Ａにおける煙突連結手段である、管体用自在継手４Ａの構成と作用を説明するために拡大した縦断面図である。図（Ａ）に示すように、管体自在継手４Ａは、屋根側から垂設された煙突構成部材５０と薪ストーブ１００側から上方に延設された煙突構成部材４０との間に介装され、地震の揺れでこれら部材の間に位置ズレが生じた場合に、そのズレ動作に対応しながら煙突の変形・破損を回避するようになっている。
【００３４】
即ち、管体自在継手４Ａは、筒状部材４３の上端側に上下所定幅の球面状に形成された球状周壁４２と、筒状部材４４の下端側に前記球状周壁４２よりも僅かに大径で上下所定幅の球面状に形成された球状周壁４１が組み合わされて自在継手（ユニバーサルジョイント）を構成しており、下側の筒状部材４３の下端側が煙突構成部材４０上端側に嵌装され、上側の筒状部材４４の上端側に煙突構成部材５０が挿入されてなるものである。
【００３５】
このような構成としたことで、管体自在継手４Ａは図４（Ｂ），（Ｃ）に示すように、地震の発生により上下の煙突構成部材５０，４０の間で横ズレ、上下距離のズレが生じた場合でも、上側の筒状部材４４の中で煙突構成部材５０が摺動して上下方向のズレを吸収しながら、球状周壁４１の内周側で球状周壁４２の外周面が摺動しながらマルチ方向のジョイント機能を発揮するため、縦横のズレに対し自在に追従することができ、煙突の変形・破損を確実に回避する機能を発揮する。
【００３６】
図５は、前述の管体自在継手４Ａの応用例を示しており、短尺で端面が傾斜した筒状部材の複数が各端面同士を回動可能に連結してなる管体用自在継手４Ｂとすることによっても、各連結部をある程度緩くして容易に回動可能としておくことで（Ｂ），（Ｃ）に示すように管体自在継手４Ａと同様の機能を発揮する。また、図示は省略するが、管状部材を蛇腹状にしたりスパイラル状の折り線を設けたりして、各折り線部分で弾性的に屈曲可能としてなる方式の管体自在継手を用いても同様である。
【００３７】
図６は、図１のストーブ免震システム１Ａにおける自動消火手段としての自動消火装置３Ａの構成と作用を説明するための拡大した縦断面図である。この自動消火装置３Ａは、基台２０上面の外縁側で滑動板２０の滑動を阻害しない位置において、その固定板３１ｄをネジ止めすることで立設された縦長略円柱状の自動消火手段であり、所定レベル以上の揺れにより自動的に作動して、薪ストーブ１００の燃焼室内に消火剤を噴射して消火する機能を有している。
【００３８】
図６（Ａ）に示すように、筒状の本体ケーシング３０内部には、小型のボンベに圧縮ガスと粉末の消火剤を充填してなる粉末消火器３１Ａが内装されており、その消火剤供給通路が変形容易なゴムパイプ３３ａ、先端側が消火剤供給通路開口部（ノズル）を構成する硬質の接続部材３３ｂを介して図示しない薪ストーブ１００の燃焼室に接続され、その粉末消火器３１Ａの上方には、鉄球による錘３５が上面の窪み３４ａ部分に載っている錘支持台３４が配設されており、錘支持台３４と錘３５の外周側を上方が開放した漏斗状の囲い部材３０ａで囲っている。
【００３９】
そして、所定レベル以上の揺れにより錘支持台３４の窪み３４ａから錘３５が脱落すると、これが囲い部材３０ａ内周面で受け止められつつ下方に案内されて落下し、粉末消火器３１Ａの噴射起動手段であるレバー３１ａの上まで案内されて、その落下の衝撃により噴射が開始されるとともに錘３５の自重により所定時間噴射状態を維持するようになっている。
【００４０】
そのため、電気的な駆動手段を要することなく錘３５の自重だけで消火動作を行えることから、比較的低コストで薪ストーブ１００の自動消火手段を構築することができ、且つ、全体として円筒状で薪ストーブの付属部品のようにも見えることから、美観に優れるとともに趣味性にも富んだものとなる。また、手動消火だけの方式では消火が完了するまで薪ストーブ１００そばから離れることができずに避難が遅れてしまう心配があったのに対し、このような自動消火手段があることで早急に避難することも可能になる。
【００４１】
尚、粉末消火器３１Ａは、市販のものを使用する場合、図のようにそのレバー３１ａを延長しながら上面を広げて錘３５が載りやすくしたレバー延長体３２を設けることが好ましい。これにより、粉末消火器３１Ａのレバー３１ａは、筒状の本体ケーシング３０側面に設けた開口部３０ｃから外部まで延長され、必要に応じて手動操作でも消火を行えるようになる。また、その開口部３０ｃにおいて、開き角度に制限を設けた開閉扉３０ｄを配置して錘３５が脱落しない位置にてこれを停止させるようにすることで、錘３５が脱落せずに消火剤の噴射を安定して維持することが可能となる。
【００４２】
さらに、図６（Ｂ）の拡大円中に示したように、ゴムパイプ３３ａ先端側でストーブ１００の燃焼室内に開口する接続部材３３ｂは、その消火剤供給通路の開口側が、その上流側の内径よりも小径に絞られてなるジェット式の噴射口とされているため、長尺のパイプ部材を介して接続した場合でも消火剤を高圧で噴射することができ、確実な消火機能を発揮しやすいものとしている。
【００４３】
図７は、前述した自動消火装置３Ａの応用例としての自動消火装置３Ｂを示している。この例では、粉末消火器３１Ａの代わりにスプレー消火器３１Ｂを使用しており、前述と同様に市販の消火手段をそのまま使用しながら、その噴射ノズル３１ｄを下向きにして薪ストーブ１００側に接続するゴムパイプ３３ａ基端側の連結口に嵌装しており、地震の揺れで錘支持台３７の窪み３７ａから脱落した錘３５が、囲い部材３６ａ内周側で案内されスプレー消火器３１Ｂの底面に落下してこれに載ることにより、噴射を継続するようになっている。
【００４４】
図８は、図７の自動消火装置３Ａに対し薪ストーブ１００の横ズレ防止用バー３９を設けた応用例を示している。この例では、免震炉台２Ａにおいて基台２０と滑動板２２の間の摩擦による固定力が極めて小さく通常の使用でも薪ストーブ１００がズレ動いてしまうような場合に、図（Ａ）に示すようにそのズレ動きを防止するため、自動消火装置３Ｂの側面から開閉式の横ズレ防止用バー３９を延設してあり、先端の吸着部３９ａで薪ストーブ１００の角部に吸着して支持するようになっている点を特徴としている。
【００４５】
その横ズレ防止用バー３９は、図８（Ｂ）に示すように、自動消火装置３Ｂが基台２０の外縁側に所定高さ以上で立設されていることにより、配設が可能となったものであり、その基端側が蝶番３９ｂで自動消火装置３Ｂの側面に蝶着されて、平行位置と垂直位置の間で開閉するものとされ、その先端側には先端面に磁石３９１，３９１を配置した吸着部３９ａを有しており、鉄製の薪ストーブ１００の角部に磁気吸着するようになっている。
【００４６】
これにより、通常は横ズレ防止用バー３９を水平に開きながら先端側で磁気吸着により薪ストーブ１００を支持・固定した状態となり、通常の使用では薪ストーブ１００が不用意にズレ動きにくい状態としている。そして、図８（Ｃ）に示すように、地震の揺れで滑動板２２に載った薪ストーブ１００がズレ動くことで横ズレ防止用バー３９の磁気吸着が解除され、滑動板２２は滑動可能な状態となる。尚、この横ズレ防止用バー３９は、上述した図６の自動消火装置３Ａにも適用できることは言うまでもない。
【００４７】
図９（Ａ）は、接続部材３３ｂを噴射口の中心軸線が水平になるように支持した状態で薪ストーブ１００の側壁に接続した場合に噴射した消火剤の燃焼室内における挙動を示している。図のように、開口部にジェットを設けたことで直進性が強くなるため、消火剤は反対側の側壁内面に衝突して燃焼室の右側に偏りやすくなって、薪の消火が不十分となりやすい。
【００４８】
即ち、薪ストーブ１００に消火剤供給通路を接続する場合は、その側壁に接続孔を穿設して接続部材３３ｂを固定して設けるのが好ましいところ、その接続により噴射口の中心軸線が水平になるのが通常である。そこで、図９（Ｂ）に示すように、噴射口前方の中心軸線上で噴射した消火剤を前方斜め下向きに反射させながら適度に拡散させる斜め下向きの衝突面を有した反射板３３０を消火剤供給通路の先端側で延設してなる接続部材３３ｃとすることで、総ての燃焼部分に消火剤を導きやすいものとなる。
【００４９】
さらに、図９（Ｃ）に示すように、図示しない消火器からの消火剤供給通路を分岐部材（ヘッダー）で分岐しながら、直進性の高い接続部材３３ｂと屈曲・拡散性の強い接続部材３３ｃとを並列で設けることにより、さらに消火剤の偏りが少なくすることができ、消火しにくい薪の燃焼炭を確実に消火しやすいものとなる。
【００５０】
図１０は、ジェットにより噴射された直進性の強い消火剤を、適度に拡散させる構造を設けた接続部材の各例を示している。（Ａ）は、図９で示した接続部材３３ｂであり（Ｂ）はその右側面図であるが、先端側が屈曲して斜め下向きの衝突面３３０ｂを形成してなる反射板３３０を備えている点を特徴としており、その衝突面３３０ｂを噴射口の中心軸線に対し１３５°〜１６５°の角度にすることで噴射方向を適度な下向きに屈曲可能となることが実験で分かっている。
【００５１】
図１０（Ｃ）は、（Ａ）の応用例としての接続部材３３１であり（Ｄ）はその右側面図である。この例では、薪ストーブ１００の側壁に穿設された６〜８ｍｍ程度の細径の内外連通孔１１１ａを挟んで設けた管体の先端側に前述と同様の反射板３３１を備えたものとされ、その内外連通孔１１１ａ自体がその上流側の消火剤供給通路よりも細く絞られてジェットとして機能するようになっている点を特徴としている。
【００５２】
図１０（Ｅ），（Ｆ）は（Ｃ）の変形例であって、衝突面に孔を設けて直進性と屈曲・拡散性の両方を発揮する反射板３３２を備えた接続部材３３ｅ、噴射口の中心軸線の延長上に水滴状の反射板３３３を中心軸線が一致するように支持してなり適度な拡散性を発揮する接続部材３３ｆを示している。また、図１０（Ｇ），（Ｈ）も（Ｃ）の変形例であって、開口側に蝶番で開閉動作可能な反射板３３４を備えてスプリンクラー式に消火剤を拡散させるものとした接続部材３３ｇ、薪ストーブ１００の側壁に穿設した内外連通孔１１１ａのみが燃焼室内で開口する方式の接続部材３３ｈを示しており、いずれも消火剤の拡散性を確保できるようになっている。
【００５３】
尚、消火器は通常高圧ガスが充填されていることに加え内部の消火剤が熱で変質しやすいことから、ストーブの熱による温度上昇を避けることが好ましい。そのため、消火器を収納する自動消火装置の本体ケーシングについて、二重構造にする、内周面に断熱材を設ける、外周面を遠赤外線反射能に優れたものとする、或いはこれらを組み合わせる、等の温度上昇防止手段を設けておくことが推奨される。
【００５４】
以上、述べたように薪ストーブについて、本発明によりその美観を損なうことなく低コストでも確実に転倒を防止するとともに、火災の発生を確実に防止できるようになった。
【符号の説明】
【００５５】
１Ａ  ストーブ免震システム、２Ａ，２Ｂ  免震炉台、３Ａ，３Ｂ  自動消火装置、４Ａ，４Ｂ  管体自在継手、２０  基台、２２，２３  滑動板、２５  枠体、２５ａ，２５ｂ，２５ｃ，２５ｄ  パイプ部材、３０  本体ケーシング、３０ａ，３６ａ  囲い部材、３１Ａ  粉末消火器、３１Ｂ  スプレー消火器、３１ａ  レバー、３２  レバー延長体、３３ａ  ゴムパイプ、３３ｂ，３３ｃ，３３ｄ，３３ｅ，３３ｆ，３３ｇ，３３ｈ  接続部材、３５  錘、３４、３７  錘支持台、３４ａ，３７ａ  窪み、３９  横ズレ防止用バー、４０，５０  煙突構成部材、１００  薪ストーブ、２２０  周壁、２２１ａ，２２１ｂ，２２１ｃ，２２１ｄ  脚固定部、３３０，３３１，３３２，３３３，３３４  反射板、３３０ｂ，３３１ｂ  反射面
【図１】
2014224613.tif 000003
【図２】
2014224613.tif 000004
【図３】
2014224613.tif 000005
【図４】
2014224613.tif 000006
【図５】
2014224613.tif 000007
【図６】
2014224613.tif 000008
【図７】
2014224613.tif 000009
【図８】
2014224613.tif 000010
【図９】
2014224613.tif 000011
【図１０】
2014224613.tif 000012